(57)【特許請求の範囲】
【請求項１】
基板とこれに重ねたクッション、及び、前記クッションを覆う表皮材を備えており、前記表皮材に設けた引き込み部が、当該引き込み部に固定されると共に前記クッションを貫通した板状の留め具によって、前記基板に引っ張り保持されている構成であって、
前記基板に、前記留め具が貫通する取付け穴を設け、前記取付け穴の箇所に係合爪を設けている一方、
前記留め具には、前記係合爪に嵌まる係合穴を設けており、前記留め具の先端部は、人が操作し得るようにその先端部を基板の裏側に露出させている、
椅子の体圧支持体。
【請求項２】
前記留め具は帯板状の形態である一方、前記取付け穴は細長いスリットになっている、
請求項１に記載した椅子の体圧支持体。
【請求項３】
前記基板における取付け穴の箇所に、前記留め具を取付け穴に差し込むと前記係合穴が前記係合爪に嵌まるようにガイドする案内部が形成されている、
請求項１又は２に記載した椅子の体圧支持体。
【発明の詳細な説明】
【技術分野】
【０００１】
本願発明は、椅子において、クッションを有する体圧支持体に関する。ここにいう体圧支持体には、背や座を代表例として、ヘッドレスト、シェルダーレスト、肘当てパッドなどが包含される。
【背景技術】
【０００２】
椅子の背が背板にクッションを張った構造である場合、クッションは表皮材（張地）で覆われている。そして、表皮材の弛みを防止したり、表皮材及びクッションと背板との重なり状態を保持したり、或いはデザイン上の理由により、表皮材に設けたライン状の引き込み部を背板に向けて引き込むことが行われている。座の表皮材を下方に引き込むこともある。
【０００３】
そして、表皮材の引き込み手段として、留め具（引き込み具）を使用することが提案されている。その例として特許文献１には、留め具（張地止）を、表皮材の前面に重なる横長の本体部から後ろ向きの突起が複数設けられた構成として、突起の先端に設けた爪部を、背板に設けた係合穴に弾性に抗して嵌め込むことが開示されている。
【０００４】
また、特許文献２には、特許文献１と同様の留め具（引き込み具）を表皮材の裏に縫着して、留め具に設けた爪部を、クッションの裏側に配置した中板に嵌め込むことが開示されている。また、特許文献３には、留め具（係止具）を棒状に形成して先端に笠状の引掛部を設け、引掛部を、係止板に設けた開口（穴）に強制嵌合させることが開示されている。
【０００５】
更に特許文献４では、留め具（吊り込み具）は２本の足部を有する門型の形状になっており、足部の先端に大径の係合部を設ける一方、シートフレームには大径部と小径部とが連続したダルマ形穴を設け、足部の係合部をダルマ型穴の大径部に挿入してからスライドさせることにより、止め具の係合部をダルマ形穴の小径部の裏側に位置させて抜け不能に保持することが開示されている。
【先行技術文献】
【特許文献】
【０００６】
【特許文献１】特許第３８３８４１３号公報
【特許文献２】特開２００７−３３０３９８号公報
【特許文献３】特開２００９−９００８９号公報
【特許文献４】実開昭６１−８６１００号のマイクロフィルム
【発明の概要】
【発明が解決しようとする課題】
【０００７】
特許文献１は、留め具（張地止）の大分部が表皮材の表面（前面）に重なっているため、美感を損なう可能性がある。また、留め具の爪部を窄まり変形することにより、係合穴に嵌合するスナップ方式になっており、背板に対する取付け強度は弾性復元力に依存しているため、取付けの容易性と取り外しの容易性とが相反している。このため、例えば表皮材のみを交換する場合、ユーザーが簡単に取り外しできるとは言い難い。
【０００８】
また、特許文献２，３の留め具は、表皮材の裏側に取付けられているため美観の問題はないが、留め具は背板等に嵌め込むと簡単には取り外しできない、所謂はめ殺し状態になっており、このため、特許文献１と同様に、ユーザーが表皮材を取り外して交換することを簡単に行えるとは言い難い。
【０００９】
他方、特許文献４の留め具は、その長手方向にずらして係合部をダルマ型穴の大径部の箇所に位置させることでシートフレームから取り外すことができ、このため、表皮材の交換は他の先行文献に比べて容易であると言える。しかし、特許文献４では、クッション及び表皮材の取付け（すなわち座席の組み立て）に際しては、表皮材を所定の状態からずらした状態で留め具をシートフレームのダルマ型穴に嵌め込まねばならないため、クッション及び表皮材の取付け作業が面倒になるおそれがある。クッションが予め位置決めされている場合は、取付けは特に面倒になるおそれがある。
【００１０】
本願発明は、このような現状を改善すべく成されたものである。
【課題を解決するための手段】
【００１１】
請求項１の発明では、基板とこれに重ねたクッション、及び、前記クッションを覆う表皮材を備えており、前記表皮材に設けた引き込み部が、当該引き込み部に固定されると共に前記クッションを貫通した板状の留め具によって、前記基板に引っ張り保持されている構成において、
前記基板に、前記留め具が貫通する取付け穴を設け、前記取付け穴の箇所に係合爪を設けている一方、
前記留め具には、前記係合爪に嵌まる係合穴を設けており、前記留め具の先端部は、人が操作し得るようにその先端部を基板の裏側に露出させている。
【００１２】
請求項２の発明は請求項１の発明を具体化したもので、この発明では、前記留め具は帯板状の形態である一方、前記取付け穴は細長いスリットになっている。
【００１３】
請求項３の発明は請求項１又は２の発明を好適に具体化したもので、この発明では、前記基板における取付け穴の箇所に、前記留め具を取付け穴に差し込むと前記係合穴が前記係合爪に嵌まるようにガイドする案内部が形成されている。この場合、案内部は係合爪を挟んだ両側に配置するのが好ましい。
【発明の効果】
【００１４】
本願発明では、留め具は、背板や座板のような基板の取付け穴に嵌め込むことで位置決めすることができ、係合穴が係合爪に嵌まることにより、留め具は抜け不能に保持される。この場合、留め具の動きは自身の弾性変形を利用することも可能であるし、クッションを圧縮変形させて動きを確保することも可能であり、いずれにしても、留め具はずらし移動させる必要はない。このため取付けを正確にかつ簡単に行える。特に、クッションが予め基板に位置決めされている場合でも、留め具は、取付け穴に差し込むことで所定位置にセットされる。
【００１５】
そして、基板の係合爪に対する留め具の引っ掛かりの解除は、基板の裏側から留め具を操作することで簡単に行える。従って、本願発明では、表皮材を引き込むための留め具の取付け・取り外しを簡単に行える。このため、ユーザーが表皮材を交換する場合であっても、作業を簡単に行える。
【００１６】
請求項２のように、留め具を帯板状の形態とする一方、基板の取付け穴としてスリットを設けると、姿勢安定性に優れているため、表皮材の形状保持機能にも優れている。また、請求項３のように案内部を設けると、作業性が高い。従って、ユーザー自身で表皮材を取り替える場合に特に好適である。
【図面の簡単な説明】
【００１７】
【図１】（Ａ）〜（Ｃ）は椅子の外観図であり、（Ａ）は前方から見た斜視図、（Ｂ）は後ろから見た斜視図、（Ｃ）は側面図である。（Ｄ）は、表皮材と留め具との関係を示す一部破断表面図である。
【図２】（Ａ）〜（Ｃ）はクッションを省略した状態での背もたれの外観図で、（Ａ）は前方から見た斜視図、（Ｂ）は側面図、（Ｃ）は後ろから見た斜視図、（Ｄ）は留め具の斜視図、（Ｅ）〜（Ｈ）は表皮材への留め具の固定例を示す断面図である。
【図３】背もたれを後ろから見た分離斜視図である。
【図４】（Ａ）はメインメンバーの部分背面図、（Ｂ）はメインメンバーを後ろから見た部分斜視図、（Ｃ）は表皮材の端部の部分正面図、（Ｄ）（Ｅ）は表皮材の取付け態様を示す平断面図である。
【図５】背板の構成部材であるメインメンバーを示す図であり、（Ａ）は部分背面図、（Ｂ）は部分斜視図、（Ｃ）は部分破断斜視図である。
【図６】背板の構成部材であるメインメンバーを示す図であり、（Ａ）は部分背面図、（Ｂ）は部分斜視図である。
【図７】（Ａ）は背もたれを図５（Ｃ）の VIIA-VIIA視方向から見た平断面図、（Ｂ）は背板に取り付ける前のクッションのうち引き込み部の箇所での平断面図である。
【図８】（Ａ）は図５（Ａ）の VIIIA-VIIIA視における分離断面図、（Ｂ）はクッションをセットした状態での（Ａ）の箇所での断面図、（Ｃ）は留め具をセットした状態での図５（Ａ）の VIIIC-VIIIC断面図、（Ｄ）は留め具とクッションとの関係を示す斜視図である。
【発明を実施するための形態】
【００１８】
次に、本願発明の実施形態を図面に基づいて説明する。本実施形態は、事務用に多用されている回転式ロッキング椅子に適用している。本願では、方向を特定するため「前後」「左右」といった文言を使用するが、これは普通の姿勢で着座した人の向きを基準にしている。正面視は、着座した人と対向した方向になる。
【００１９】
(1).椅子の概要
まず、主として図１，２を参照して椅子の概要を説明する。図１に示すように、椅子は、大きな要素として脚１と座２と背もたれ３とを備えている。脚１は、放射方向に延びる枝足を有しているが図示は省略しており、ガスシリンダよりなる脚支柱４のみを表示している。脚支柱４の上端にはベース５が固定されており、ベース５の上方に座２が配置されている。背もたれ３がベース５に後傾動自在に連結されており、背もたれ３の後傾動に連動して座２は上昇しつつ後退動するが、説明は省略する。
【００２０】
背もたれ３は、着座者の体圧がかかるシェル状の背板（背インナーシェル）６と、これが取付けられたシェル状のバックサポート７とを有しており、背板６の前面に背クッション８が張られている。背クッション８は、クロス等の表皮材９で前から覆われている。背板６は、バックサポート７の手前に配置されたメインメンバー１０と、メインメンバー１０の上に重ね配置されたトップメンバー１１との２つの部材（パーツ）に分離している。両メンバー１０，１１は、樹脂を材料にして製造された射出成形品である。
【００２１】
メインメンバー１０の前面とトップメンバー１１の前面は、滑らかに連続している。従って、着座した人は、一体構造の背もたれと同様に違和感なく凭れる掛かることができる。本実施形態のトップメンバー１１は、上から後ろに曲がって下向きにＵターンした形状をしており、従って、おおよそ下向き開口Ｕ字に近い側面視形態になっていると共に、左右両端にはサイド凹所１２が開口している。
【００２２】
背板６におけるメインメンバー１０の上端とバックサポート７の上端とは略同じ高さになっており、背板６のトップメンバー１１は、バックサポート７の上面に重なっている。そして、背板６を構成するトップメンバー１１は、バックサポート７の上部後方に回り込むように後ろにオーバーハングしている。従って、トップメンバー１１は、上から後ろに滑らかなカーブを描いて後ろ側にカールしており、側面視では逆Ｕ型の形態を成している。
【００２３】
図２に明示するように、バックサポート７の下端には、前向きに延びる左右一対のアーム７ａが一体に形成されており、左右のアーム１２は、金具１３（図１（Ｂ）に僅かに露出している。）を介してベース５に連結されている。バックサポート７の下端部は、アーム７ａの付け根よりも下方に突出している。また、バックサポート７の下部の背面には、ロアカバー１４が装着されている。
【００２４】
バックサポート７は表皮材たるバックシート１５で後ろから覆われており、ロアカバー１４もバックシート１５で覆われている。図１（Ａ）に示すように、表皮材９の上部には左右横長の引き込み部９ａが設けられており、引き込み部９ａは、図２（Ｄ）〜（Ｇ）に示す留め具１６により、背板６におけるメインメンバー１０の上部に引っ張られた状態に保持されている。この点が、本願発明の実施形態の要部である。
【００２５】
(2).背もたれの概要
留め具１６の説明に先立って、背もたれ３の概要を説明する。トップメンバー１１はメインメンバー１０に対して着脱自在である。このため、トップメンバー１１として高さが違うものを複数種類用意しておくことにより、メインメンバー１０とバックサポート７とは１種類のままで、高さが相違する背もたれ３を得ることができる。
【００２６】
図３に示すように、メインメンバー１０とトップメンバー１１とで背板６を構成し、この状態でバックサポート７に取付けたり取り外したりすることができる。メインメンバー１０とトップメンバー１１との連結構造や、背板６とバックサポート７との連結構造は本願発明と直接の関係はないので、これらの説明は省略する。なお、背もたれは単一構造であってもよいことは言うまでもない。
【００２７】
例えば図２から理解できるように、バックサポート７とメインメンバー１０とは、上端の横幅より下端の横幅が小さくなっており、従って、両者とも正面視で逆台形の形状を成している。図１〜３から理解できるように、バックサポート７と背板６は、いずれも平面視で前向き凹状に緩く湾曲しており、かつ、両者とも、着座者の腰部が当たる部分が最も前に位置するように、側面視で前向き凸状に湾曲している（すなわち、背板６はランバーサポート部を有している。）。
【００２８】
例えば図２に示すように、メインメンバー１０の左右両側部には前向きに突出した角形のサイド突条１８が形成されて、メインメンバー１０の下端にも、前向きに突出した角形のボトム突条１９が形成されている。両突条１８，１９は互いに連続している。図３から推測できるように、両突条１８，１９は、後ろ向きに開口してチャンネル状の形態を成している。
【００２９】
図２，３に示すように、留め具１６の左右側縁にも、メインメンバー１０のサイド突条１８に連続した状態でサイド突条１８が形成されている。トップメンバー１１のサイド突条１８は、トップメンバー１１の形状に倣ってトップメンバー１１の裏側まで延びており、トップメンバー１１のサイド突条１８は左右横長のエンド突条２０に連続している。従って、背板６の周囲は突条１８，１９，２０で囲われており、これら突条１８，１９，２０で囲われた内部に、背クッション８がずれ不能に配置されている。また、背クッション８は、トップメンバー１１の裏面まで回り込んでいる。
【００３０】
そして、図４に示すように、表皮材９の外周縁に、樹脂板より成る帯板状の縁板２１が縫着されている一方、メインメンバー１０の背面のうち突条１８，１９のやや内側に位置した部位と、トップメンバー１１におけるサイド凹所２２の底面（図示せず）と、トップメンバー１１のオーバーハングの前面とには、キャッチ突起２３を適宜間隔で数形成しており、縁板２１に形成したキャッチ穴２４をキャッチ突起２３に嵌め込んでいる。縁板２１は適当な長さに切断されたものを多数使用している。
【００３１】
キャッチ突起２６は正面視で十字形に形成されており、先端部には縁板２１の抜け止めのための膨出部２３ａを形成している。他方、縁板２１のキャッチ穴２４は、縁板２１の長手方向に長い長穴になっている。このため、表皮材９の多少の位置ずれを吸収できると共に、キャッチ突起２３への嵌脱も容易に行える。
【００３２】
図４（Ｃ）に示すように、縁板２１は、全体を表皮材９に重ねると共に前端を表皮材９の内側に受けた状態で表皮材９に縫着している（縫着部を符号２５で示す。）。従って、表皮材９を背板６に取り付けると、図４（Ｅ）に示すように、表皮材９の周縁部は縫着部２５を中心にして折り返された状態になっている（他の図では折り返し状態は省略して簡略的に表示している。）。
【００３３】
そして、縁板２１を全体的に表皮材９に重ねて縫着すると、ミシン掛けを安定的に正確に行える利点である（縁板２１を表皮材９に部分的に重ねた状態でミシン掛けを行うと、縁板２１の安定性が悪くなるため、縁板２１の位置ずれが発生しやすくなる。）。図４（Ｄ）に示すように、バックシート１５の外周縁にも縁板２６を縫着しており、この縁板２６を、バックサポート７に設けたキャッチ突起等に係合させているが、本願発明との直接の関係はないので説明は省略する。
【００３４】
(3).留め具の構成
留め具１６は弾性を有する合成樹脂シートを使用しており、このため弾性を有していて撓み変形し得る。留め具１６は、背板６を構成するメインメンバー１０の上部に取付けられている。背板６及び背クッション８は、メインメンバー１０の上部の箇所において平面視で前向き凹に緩く湾曲しけており、このため、留め具１６も、メインメンバー１０の湾曲に沿って平面視で弓なりに反った形状になっている。留め具１６の前後幅寸法は背クッション８の厚さと概ねの同じ寸法になっているが、背クッション８の厚さより大きい寸法に設定してもよい。
【００３５】
表皮材９の引き込み部９ａへの留め具１６の固定手段としては、本実施形態では縫着を採用している。縫着構造の具体例を図２（Ｅ）〜（Ｈ）に表示しており、縫着部は符号２７で表示している。（Ｅ）に示す例では、留め具１６の前端寄り部位を表皮材９に単純に縫着している。（Ｆ）に示す例では、引き込み部９ａを２つ折りした２枚重ね構造として、２枚重ねされた部分を留め具１６の片面に縫着している。
【００３６】
（Ｇ）に示す例では、表皮材９で留め具１６の表裏両面を覆って、表皮材９を留め具１６の両面に縫着している。更に（Ｈ）に示す例では、表皮材９に、留め具１６の表面に重なる２つ折り状の２枚重ね部と、裏面に重なる２つ折り状の２枚重ね部とを形成し、両方の２枚重ね部を留め具１６に縫着している。
【００３７】
これらの固定方法とは別に、（Ｆ）に一点鎖線で示すように、表皮材９とは別体の添え布（或いは撓み変形自在な添えシート）２８を用意し、添え布２８を表皮材９と留め具１６とに縫着することも可能である。更に、留め具１６はかがり縫いによって表皮材９に縫着したり、接着や溶着によって固定することも可能である。更に、留め具１６を、表皮材９に重なる帯状の基板部と後ろ向き突出部とから成るＴ形に形成し、基板部を表皮材９に縫着又は溶着するといったことも可能である（この場合、基板部は、後ろ向き突出部との連接部を中心にして屈曲するように構成するのが好ましい。）。
【００３８】
留め具１６には、請求項に記載した係合部として、左右一対の係合穴３０を設けている。係合穴３０は左右横長の長穴になっている。また、留め具１６の左右中間部には、後ろ向きに開口した切欠き部３１を形成している。あえて述べるまでもないが、背クッション８には、留め具１６が貫通する切り込み３２を形成している。
【００３９】
(4).留め具の係合構造
図５以下の図面に示すように、背板６を構成するメインメンバー１０の上部には、留め具１６が嵌まる左右横長のスリット３３を設けており、例えば図８に示すように、留め具１６のうち切欠き部３１を除いた部分は、スリット３３から後ろに貫通している。図２（Ｄ）では、留め具１６の挿入方向を矢印Ａで示している。
【００４０】
メインメンバー１０のうちスリット３３を挟んだ上下両側の部位は、左右中間部において角形ブロック状の後ろ向きブリッジ部３４で連結されており、そこで、留め具１６の左右中間部には、後ろ向きブリッジ部３４と干渉しないように切欠き部３１が形成されている。後ろ向きブリッジ部３４の存在により、左右横長のスリット３３を形成したことによるメインメンバー１０の強度低下を防止し、かつ、留め具１６は、後ろ向きブリッジ部３４の左右両側においてメインメンバー１０の後ろに露出しているため、倒し操作は支障なく行える。
【００４１】
図５〜８に示すように、スリット３３の上内面には、背板６の係合部として、留め具１６の係合穴３０が嵌合する係合爪３５を下向きに突設している。係合爪３５は側面視で後ろ向き鉤状に形成されており、係合穴３０が係合爪３５に嵌合することにより、留め具１６は前向き抜け不能に保持されている。更に正確に述べると、係合爪３５は後ろに行くほど下がるように傾斜しており、このため、係合爪３５の前面３５ａは、側面視で水平に対して後傾した傾斜面になっている。
【００４２】
例えば図８（Ｃ）に示すように、メインメンバー１０のうち、スリット３３の上面の箇所でかつ後ろ向きブリッジ部３４の左右外側の部位には、後ろ向きの上フランジ３６を後ろ向きに突設している。このため、スリット３３の上内面は、下面よりも広幅になっている。このため、留め具１６は上下にバタ付くことなく安定した状態に保持される。上フランジ３６の箇所には、肉厚を均等化するため前向き開口の凹部３７を設けている。
【００４３】
更に、スリット３３の下内面のうち係合爪３５を挟んだ左右両側の部位には、請求項に記載した案内手段の一例として、ガイド突起３８を後ろ向きに突設している。ガイド突起３８は、後ろに行くほど高くなるように傾斜しており、後端は、係合爪３５の下端よりも高い位置になっている。従って、ガイド突起３８の前面３７ａは水平に対して前傾していると共に、係合爪３５とガイド突起３８とは側面視で部分的に側面視でオーバーラップしている。
【００４４】
このため、留め具１６をメインメンバー１０に取付けた状態では、留め具１６は係合爪３５に嵌合した状態に保持されている。また、留め具１６のうち係合爪３５に嵌合している部分を、弾性に抗して下向きに押しやる（すなわち、留め具１６の一部を引き込み部９ａの長手方向と直交した下向き方向に回動させる）ことにより、図８（Ｂ）に一点鎖線で示すように、留め具１６を係合爪３５から離脱させることができる。この場合、留め具１６のうち係合爪３５に嵌合していた部分を下向きに凹状に変形させねばならないので、スリット３３のうち係合爪３５の下方部位（左右ガイド突起３８の間の部位）には、下向きに抉った状態の凹所３９を形成している。
【００４５】
そして、図８（Ａ）（Ｃ）に示すように、係合爪３５の前面３５ａとガイド突起３８の前面３８ａとは側面視で交叉しているため、留め具１６をスリット３３に差し込もうとすると、留め具１６の先端が多少上下に位置がずれていても、係合爪３５の前面３５ａとガイド突起３８の前面３８ａとの交叉部に誘い込まれる。
【００４６】
そして、留め具１６を更に押し込むと、留め具１６のうち係合穴３０を設けている部分は、係合爪３５にガイドされて下向き回動するように変形し、ガイド突起３８に当接している部分は上向き回動するように弾性に抗して変形し、留め具１６を押し込み切ると、留め具１６の係合穴３０が係合爪３５に嵌合すると共に、留め具１６は弾性復元力によって平な状態に戻る。
【００４７】
つまり、留め具１６は、スリット３３に向けて押し込むだけのワンタッチ的な作業により、正面視で波打ったように変形してからメインメンバー１０に取付けられ、かつ、係合穴３０の部分を下向きに撓み変形させることにより、簡単に取り外すことができる。更に、留め具１６は、係合穴３０の部分を人為的に下向きに撓み変形させないと係合爪３５との係合状態を解除することはできないため、取付け・取り外しが容易でありながら、取付け状態を確実に保持できるのである。
【００４８】
ところで、留め具１６は、表皮材９の引き込み部９ａを中心にして上下回動するように変形するが、変形は背クッション８を若干圧縮させる程度で実現でき、留め具１６の変形を許容するために留め具１６や背クッション８をずらし移動させる必要はない。従って、留め具１６は、取付け及び取り外しとも簡単に行える。留め具１６の取付けと縁板２１の取付けとは、どちらを先に行ってもよい。取り外しの順序も同様である。
【００４９】
(5).その他
上記の実施形態は椅子の背もたれに適用した場合であったが、本願発明は、椅子の座にも適用できる。また、細部も様々に具体化できる。例えば、係合部（係合手段）としては、留め具に係合爪を設け、背板や座板のような基板（体圧支持板）に、係合爪が引っ掛かる係止部を設けることも可能である。係合爪やガイド突起は、スリットの全長にわたって長く延びるように形成することも可能である。１つの引き込み部に、複数の留め具を直列配置することも可能である。
【００５０】
引き込み部の姿勢は、椅子の形態やデザイン上の要請等に応じて任意に設定できる。例えば背もたれについて見ると、上下２段の横長引き込み部と左右一対の縦長引き込み部とにより、正面四角形の方形引き込み部を形成するといったことも可能である。直線状の形態に限らず、波形等の形態とすることも可能である。案内部としては、スリットのような取付け穴を断面Ｖ形（漏斗形）に形成して、留め具が取付け穴に誘い込まれるように構成することも可能である。
【産業上の利用可能性】
【００５１】
本願発明は、椅子に適用して有用性を発揮する。従って、産業上利用できる。
【符号の説明】
【００５２】
３  背もたれ
６  背板（基板）
７  バックサポート
８  背クッション
９  表皮材９
９ａ  引き込み部
１０  背板を構成するメインメンバー
１１  背板を構成するメインメンバー
１６  留め具
１８，１９，２０  突条
２１  縁板
２３  キャッチ突起
２７  縫着部
３０  係合穴
３１  切欠き部
３３  スリット（取付け穴）
３５  係合爪
３８  案内部の一例としてのガイド突起
【図１】
0005676240.tif 000002
【図２】
0005676240.tif 000003
【図３】
0005676240.tif 000004
【図４】
0005676240.tif 000005
【図５】
0005676240.tif 000006
【図６】
0005676240.tif 000007
【図７】
0005676240.tif 000008
【図８】
0005676240.tif 000009